(57)【要約】【課題】省エネルギー性の高い推奨運転モードをアドバイス表示する給湯装置を提供する。【解決手段】給湯装置１は、給湯のための熱量を生成するヒートポンプユニット２と、ヒートポンプユニット２によって生成された熱量を貯えるタンクユニット３２と、ヒートポンプユニット２の運転を制御して、タンクユニット３２の貯熱量を可変する複数の運転モードを実行する給湯ＥＣＵ３０と、複数の運転モードのうち、任意の運転モードの実行を設定可能なコントローラ３１と、を備える。給湯ＥＣＵ３０は、過去の使用実績に基づいて必要とする必要使用熱量を求め、複数の運転モードの中から当該必要使用熱量を確保できる推奨運転モードを、消費電力量を判断基準として決定し、当該推奨運転モードをコントローラ３１にアドバイス表示する。【選択図】図５
2013178011.tif 000002
【特許請求の範囲】
【請求項１】
給湯のための熱量を生成する加熱装置（２）と、
前記加熱装置によって生成された前記熱量を貯えるタンクユニット（３）と、
前記加熱装置の運転を制御して、前記タンクユニットの貯熱量を可変する複数の運転モードを実行する制御装置（３０）と、
前記複数の運転モードのうち、任意の運転モードの実行を設定可能な操作装置（３１）と、
を備え、
前記制御装置は、過去の使用実績に基づいて必要とする必要使用熱量を求め（Ｓ１０）、前記複数の運転モードの中から当該必要使用熱量を確保できる推奨運転モードを、消費電力量を判断基準として決定し（Ｓ８０）、当該推奨運転モードを前記操作装置にアドバイス表示する（Ｓ９０）ことを特徴とする給湯装置。
【請求項２】
前記制御装置は、前記複数の運転モードのうち、現在選択されている前記運転モードを実行した場合に予測される消費電力量と、他の前記運転モードに変更した場合に予測される消費電力量とを比較し、前記他の運転モードに変更した方が消費電力量が小さいと判断すると（Ｓ５０）、当該他の運転モードを前記推奨運転モードとして前記アドバイス表示する（Ｓ９０）ことを特徴とする請求項１に記載の給湯装置。
【請求項３】
前記制御装置は、前記他の運転モードに変更した方が消費電力量が小さいと判断し、かつ前記他の運転モードを実行した場合に前記必要使用熱量を確保できると判断すると（Ｓ７０）、当該他の運転モードを前記推奨運転モードとして前記アドバイス表示する（Ｓ９０）ことを特徴とする請求項２に記載の給湯装置。
【請求項４】
前記制御装置は、前記現在選択されている前記運転モードを実行した場合に前記必要使用熱量を確保できないと判断すると、当該現在選択の運転モードよりも前記タンクユニットの貯熱量を大きく確保できる別の前記運転モードを前記推奨運転モードとしてアドバイス表示する（Ｓ２５，Ｓ９０）ことを特徴とする請求項２に記載の給湯装置。
【請求項５】
前記制御装置は、前記他の運転モードに変更した方が消費電力量が小さいと判断しても、当該他の運転モードを実行した場合に前記必要使用熱量を確保できないと判断すると（Ｓ７０）、前記アドバイス表示を実行しないことを特徴とする請求項２に記載の給湯装置。
【請求項６】
前記制御装置は、前記他の運転モードのうち、最も消費電力量が小さいモードを前記推奨運転モードとして前記アドバイス表示することを特徴とする請求項２に記載の給湯装置。
【請求項７】
前記制御装置は、前記推奨運転モードが前記決定された場合に前記操作装置に表示されるアテンション表示部（３１３）が操作されると、前記アドバイス表示を実行することを特徴とする請求項１乃至請求項６のいずれか一項に記載の給湯装置。
【請求項８】
前記制御装置は、前記推奨運転モードが表示された場合に前記操作装置に表示される運転モード変更設定部（３１４）が操作されると、前記推奨運転モードを実行することを特徴とする請求項１乃至請求項７のいずれか一項に記載の給湯装置。
【発明の詳細な説明】
【技術分野】
【０００１】
本発明は、推奨運転モードを提供できる給湯装置に関する。
【背景技術】
【０００２】
給湯装置の従来例として、特許文献１に記載の装置が知られている。この従来の貯湯式給湯装置は、ユーザーによる使用実績を勘案して最適と考えられる運転モードをアドバイス表示する。この際、ユーザーは、重視する項目または嗜好に見合う項目を選択することができる。給湯装置は、ユーザーにより選択された項目に応じた、適切な運転モードをアドバイス表示する。
【先行技術文献】
【特許文献】
【０００３】
【特許文献１】特開２００８−８９２０８号公報
【発明の概要】
【発明が解決しようとする課題】
【０００４】
上記従来の給湯装置によれば、提示されるアドバイス表示は、常に装置全体の消費エネルギー抑制を考慮したものになるとは限らない。重視する項目の選択はユーザーに任されているため、ユーザーが重視する項目によっては、十分な省エネルギー性を確保できず、環境に配慮するとはいえない運転モードが推奨されることがある。
【０００５】
そこで、本発明は上記問題点を鑑みてなされたものであり、その目的は、省エネルギー性の高い推奨運転モードをアドバイス表示する給湯装置を提供することである。
【課題を解決するための手段】
【０００６】
上記目的を達成するために以下の技術的手段を採用する。すなわち、給湯装置に係る本発明は、給湯のための熱量を生成する加熱装置（２０）と、加熱装置によって生成された熱量を貯えるタンクユニット（３２）と、加熱装置の運転を制御して、タンクユニットの貯熱量を可変する複数の運転モードを実行する制御装置（３０）と、複数の運転モードのうち、任意の運転モードの実行を設定可能な操作装置（３１）と、を備え、
制御装置は、過去の使用実績に基づいて必要とする必要使用熱量を求め（Ｓ１０）、複数の運転モードの中から当該必要使用熱量を確保できる推奨運転モードを、消費電力量を判断基準として決定し（Ｓ８０）、当該推奨運転モードを操作装置にアドバイス表示する（Ｓ９０）ことを特徴とする。
【０００７】
この発明によれば、制御装置は、ユーザーの選択意思にかかわりなく、過去実績に基づいて求めた必要使用熱量を確保でき、かつ消費電力量を判断基準として決定した推奨運転モードをユーザーに対してアドバイス表示する。このため、ユーザーは、これから実施する運転モードの決定に際し、消費電力量の観点から適切とされた運転モードを判断材料とすることができる。したがって、省エネルギー性の高い推奨運転モードをアドバイス表示する給湯装置を提供できる。
【０００８】
なお、特許請求の範囲および上記手段の項に記載した括弧内の符号は、ひとつの態様として後述する実施形態に記載の具体的手段との対応関係を示す一例であって、本発明の技術的範囲を限定するものではない。
【図面の簡単な説明】
【０００９】
【図１】本発明を適用する第１実施形態に係る給湯装置を示した概要図である。
【図２】給湯装置が実施するアドバイス表示処理に関わる構成図である。
【図３】給湯装置において、アテンション表示部が表示されている状態のタッチパネルの画面を示した図である。
【図４】給湯装置において、「アテンション表示部」を操作した後に表示されるタッチパネルの画面を示した図である。
【図５】給湯装置において実行されるアドバイス表示の演算処理手順を示すフローチャートである。
【発明を実施するための形態】
【００１０】
（第１実施形態）
本発明を適用する給湯装置の一形態である第１実施形態について、図１〜図５を参照して説明する。本発明を適用する貯湯式の給湯装置１は、タンクに熱量を貯え、この貯熱量を使用してふろの湯張り、給湯端末への出湯等を実施できる装置である。給湯装置１は、タンクの貯熱量を可変する複数の運転モードを実行可能である。複数の運転モードは、給湯装置１において実行されうる運転モードであり、タンクに貯熱できる沸き上げ熱量の大きさが異なり、各運転モードの沸き上げ熱量は予測可能である。すなわち、給湯装置１は、実行される運転モードによってタンクに貯えられる熱量を変えることができる。さらに給湯装置１は、複数の運転モードの中から消費電力量を判断基準として推奨する運転モードを決定することができ、この推奨運転モードをコントローラ３１の画面にアドバイス表示することができる。
【００１１】
図１に示すように、給湯装置１は、ヒートポンプサイクルを用いた加熱装置であるヒートポンプユニット２と、ヒートポンプユニット２によって沸き上げた給湯用水をタンクに蓄えるタンクユニット３と、沸き上げ運転に係るヒートポンプユニット２の作動、出湯に係る電磁弁、混合弁等の各部の作動等を制御する給湯ＥＣＵ３０と、を備える。給湯装置１は、浴槽やシャワーなどへ出湯するときには、状況に応じて、深夜料金時間帯の系統電力を使用してタンクに蓄えた貯湯水のみを使用したり、昼間における系統電力からの電力を使用して給湯用水を沸き上げて使用したりする。
【００１２】
ヒートポンプユニット２は、冷媒を熱交換媒体とするヒートポンプサイクルからなり、タンクユニット３のタンク内に貯える水を加熱することができる加熱装置である。ヒートポンプサイクルは、圧縮機、冷媒・水熱交換器、減圧器、及び空気熱交換器を備えている。圧縮機は、二酸化炭素冷媒を圧縮、吐出する機器である。冷媒・水熱交換器は、圧縮機で圧縮された冷媒をタンクからの温水との間で熱交換して温水を加熱する。減圧器は、冷媒・水熱交換器を通過した高圧冷媒を低圧状態に減圧する。空気熱交換器は、送風機からの送風空気と熱交換させて、減圧器で減圧された低圧冷媒を蒸発させる。この空気熱交換器を通過した冷媒は、再度圧縮機で圧縮されて高圧状態で吐出される。
【００１３】
タンクとヒートポンプサイクルは、循環回路によって接続されている。タンク内の水は、ポンプの駆動力によって循環回路を循環する。沸き上げ運転時には、冷媒・水熱交換器で加熱された高温の温水は、タンク内の上部から流入してタンク内の上部に高温部を形成する。タンクの底部に貯まっている低温部の水は、冷媒・水熱交換器に流入して、冷媒・水熱交換器で加熱された後、タンクの上部に送られる。
【００１４】
ヒートポンプユニット２の作動は、給湯ＥＣＵ３０と通信するヒートポンプＥＣＵ２０からの制御信号によって制御されるとともに、その作動状態はヒートポンプＥＣＵ２０を介して給湯ＥＣＵ３０に入力される。ヒートポンプユニット２は、過去の使用実績等から、翌日に使用が予測される必要使用熱量をタンクに貯えておくために、深夜料金時間帯の系統電力を使用して高温水を沸き上げ、タンク内に当該必要使用熱量を貯える。
【００１５】
タンクは耐食性に優れた金属製のタンクであり、その外周部に図示しない断熱材が配置されており、高温の給湯用水を長時間に渡って保温することができる。給湯ＥＣＵ３０は、タンクに上下に間隔をあけて設けられた複数個の貯湯温度サーミスタからの温度情報に基づいて、タンク内上方の沸き上げられた湯とタンク内下方の沸き上げられる前の水との境界位置を検出できる。このように給湯ＥＣＵ３０は、温度及び湯量を検出することにより、タンク内に貯えられている貯熱量を算出することができる。
【００１６】
給湯装置１は、出湯時に、タンクの上部に接続された出湯管から取り出した高温水と中温取出し管から取り出した中温水または給水管から取り込まれた給水とを混合することにより、温度調整した湯をシャワー、浴槽等の給湯端末に供給する。
【００１７】
図２に示すように、給湯ＥＣＵ３０は、ヒートポンプユニット２の作動を制御するヒートポンプＥＣＵ２０及び浴室、リビング、台所等に設置されてユーザーによって操作されるコントローラ３１と、それぞれ相互に通信可能に構成されている。給湯ＥＣＵ３０は、マイクロコンピュータを主体として構成され、内蔵するＲＯＭには、あらかじめ設定された制御プログラムが設けられ、更新可能なＲＡＭ等の記憶装置を備えている。この記憶装置には、過去の給湯使用実績が記憶される。給湯使用実績は、例えば、過去１週間にわたる１日単位の使用熱量（使用湯量及び湯の温度）、沸き上げ運転を行った際の運転モード及びその消費電力量等である。給湯ＥＣＵ３０は、各サーミスタからの温度情報、各流量カウンタからの流量情報、コントローラ３１の操作入力部の操作信号等に基づいて、ヒートポンプユニット２、各混合弁、各開閉弁、ポンプ等のアクチュエータ類を制御する。
【００１８】
コントローラ３１は、給湯運転に関する情報を表示する表示画面であって、操作入力ができる操作画面でもあるタッチパネル３１０と、タッチパネル３１０の表示形態を制御する表示制御部３１１と、を備える。タッチパネル３１０は、液晶表示部及び入力部を有するパネルにより構成される。給湯装置１の運転状況、設定情報等の各種情報は、表示制御部３１１の表示制御によって、タッチパネル３１０に表示される。タッチパネル３１０としては、抵抗膜方式、投影型静電容量方式、表面型静電容量方式、超音波表面弾性波方式等、種々の動作方式を有するパネルを採用することができる。
【００１９】
コントローラ３１は、タッチパネル３１０に、給湯装置１を遠隔操作する運転操作部３１２と、タッチパネル３１０に表示されるアドバイス表示設定部３１３と、アドバイス表示された推奨運転モードに変更するために操作されるモード変更設定部３１４と、を備える。また、コントローラ３１には、例えば、電源操作部、給湯設定温度操作部、湯張り操作部、湯張り設定温度操作部、追焚き操作部、追焚き設定温度操作部、おまかせモード操作部、等が設けられている。
【００２０】
給湯ＥＣＵ３０は、アドバイス表示のための演算を実行する演算部３０１を備える。演算部３０１は、所定の演算プログラム、記憶装置等を備えて構成される。演算部３０１は、１日のうち所定の時刻になると、この後実施する沸き上げ運転に関し、ユーザーに対してアドバイス表示を提供するために、複数の運転モードの中から推奨運転モードを決定する演算を行う。演算部３０１は、演算結果に基づいて、決定した推奨運転モードの情報をコントローラ３１に送信する。
【００２１】
コントローラ３１では、図３に示すように、表示制御部３１１が推奨運転モードの情報があることを、アテンション表示（例えば図３に示すマーク）するようにタッチパネル３１０の画面を制御する。ユーザーは、タッチパネル３１０の画面を見ることにより、当該アテンション表示を認識する。ユーザーによって、アテンション表示のある所定部位が操作入力されると、アドバイス表示設定部３１３が操作されることになり、アドバイス表示設定部３１３から表示制御部３１１にアドバイス表示する旨の指令が送られる。
【００２２】
表示制御部３１１は、この指令を受けると、図４に示すように、推奨運転モードの情報を含んだアドバイス表示をタッチパネル３１０の画面に表示する。このアドバイス表示には、例えば、過去の使用実績から算出された１週間の平均使用湯量、推奨する運転モード、湯切れの可能性を言及したタンク貯熱量の状況等が含まれる。また、図４に示す画面には、その最下部に、表示状態を前の状態に戻す「戻る」ボタン、モード変更設定部３１４に相当する「モード変更」ボタンが表示されている。
【００２３】
ユーザーが「モード変更」ボタンをタッチすると、モード変更設定部３１４から給湯ＥＣＵに推奨運転モードに変更する旨の指令が送られる。そして、給湯ＥＣＵ３０は、ヒートポンプＥＣＵ２０と通信して、推奨運転モードを実施するために、ヒートポンプユニット２、各混合弁、各開閉弁、ポンプ等のアクチュエータ類を制御する。
【００２４】
次に、アドバイス表示処理に係る演算手順について、図５に示すフローチャートを参照して説明する。この処理の演算は、主に給湯ＥＣＵ３０の演算部３０１によって実行される。１日のうち、所定時刻、例えば深夜２時になると、図５のフローチャートが開始し、ステップ１０で、記憶装置に保存された過去の所定期間（例えば、１週間）の使用熱量（給湯使用熱量、湯張り使用熱量等）を用いて、これから使用が予測される必要使用熱量を算出する。なお、必要使用熱量には、過去の実績から求められる日毎の使用熱量のばらつきを考慮した値を反映させるようにしてもよい。
【００２５】
次にステップ２０で、現在選択されている運転モード（以下、単に「現運転モード」ともいう。）で沸き上げ運転を実施した場合に、タンクに貯えられる貯熱量が必要使用熱量に足らず、湯切れが発生するか否かを判定する。現運転モードは、この演算のフローチャートの開始時点で設定されている運転モードであり、例えば、当該開始時点で、自動運転で設定されたモード、ユーザーの操作により手動で設定されたモードである。また、ステップ２０では、深夜料金時間帯に現運転モードによる沸き上げ熱量を決定し、この沸き上げ熱量とタンクの残存熱量とを合わせたタンクの貯熱量が、ステップ１０で算出された必要使用熱量に対して不足する場合は湯切れすると判定する。
【００２６】
ステップ２０で湯切れありと判定すると、ステップ２５で現運転モードよりも沸き上げ熱量が多い運転モードを推奨運転モードに決定する。そして、ステップ９０に進み、タッチパネル３１０の画面にアドバイス表示を行う処理を実行し、アドバイス表示処理のフローチャートを終了する。ステップ９０のアドバイス表示処理は、図３に示す所定のマークを表示する処理であり、このマークは、タッチパネル３１０に表示されるアドバイス表示設定部３１３である。
【００２７】
ステップ２０で湯切れしないと判定すると、ステップ３０で、現運転モードを実施した場合の消費電力量を、記憶装置に保存された過去の使用実績、運転モードと消費電力量との関係を示す予め記憶されたテーブル等を用いて算出する。次に、ステップ４０では、複数の運転モードのうち、現運転モードよりも沸き上げ可能な熱量が小さい「低運転モード」を実施した場合の消費電力量を、ステップ３０と同様の方法で算出する。すなわち、消費電力量を演算する対象となる低運転モードは、１つ、または２つ以上である。ここでのアドバイス表示処理の演算では、現運転モードの次に沸き上げ可能な熱量が大きい低運転モードについて推奨運転モードになりうるかどうかの判断を行う場合を説明する。
【００２８】
ステップ５０では、低運転モードを実施した場合に、消費電力削減の効果があるか否かを判定する。このステップでは、ステップ４０で算出した低運転モードによる消費電力量がステップ３０で算出した現運転モードによる消費電力量よりも小さいか否かを判定する。ステップ５０で、ＮＯと判定すると、アドバイス表示をすることなくアドバイス表示処理のフローチャートを終了する。ステップ５０で、ＹＥＳと判定すると、ステップ６０で、低運転モードを実施した後にタンクに貯えられる貯熱可能量を算出する。
【００２９】
次にステップ７０で、低運転モードで沸き上げ運転を実施した場合に、タンクに貯えられる貯熱量が必要使用熱量に足らず、湯切れが発生するか否かを判定する。低運転モードは、ステップ５０で消費電力削減効果があると判定されたモードである。また、ステップ７０では、深夜料金時間帯に当該低運転モードによる沸き上げ熱量を決定し、この沸き上げ熱量とタンクの残存熱量とを合わせたタンクの貯熱量がステップ１０で算出された必要使用熱量に対して不足する場合は、湯切れすると判定する。
【００３０】
ステップ７０で、湯切れすると判定した場合、アドバイス表示をすることなくアドバイス表示処理のフローチャートを終了する。ステップ７０で、湯切れしないと判定した場合、ステップ８０で、低運転モードを推奨運転モードに決定する処理を実行し、ステップ９０でタッチパネル３１０の画面にアドバイス表示を行う処理を実行し（例えば図３参照）、アドバイス表示処理のフローチャートを終了する。
【００３１】
本実施形態の給湯装置１がもたらす作用効果を以下に述べる。給湯装置１は、給湯のための熱量を生成するヒートポンプユニット２と、ヒートポンプユニット２によって生成された熱量を貯えるタンクユニット３２と、ヒートポンプユニット２の運転を制御して、タンクユニット３２の貯熱量を可変する複数の運転モードを実行する給湯ＥＣＵ３０と、複数の運転モードのうち、任意の運転モードの実行を設定可能なコントローラ３１と、を備える。給湯ＥＣＵ３０は、過去の使用実績に基づいて必要とする必要使用熱量を求め、複数の運転モードの中から当該必要使用熱量を確保できる推奨運転モードを、消費電力量を判断基準として決定し、当該推奨運転モードをコントローラ３１にアドバイス表示する。
【００３２】
これによれば、給湯ＥＣＵ３０は、ユーザーの選択意思にかかわりなく、必要使用熱量確保した上で、消費電力量を判断基準として決定された推奨運転モードをユーザーに対してアドバイス表示する。このため、ユーザーは、これから実施する運転モードの設定に際し、消費電力量の観点から適切とされた運転モードを判断材料とすることができる。したがって、給湯装置１は、ユーザーにとって省エネルギー性の高い運転モードを実施することができる。
【００３３】
さらに、給湯ＥＣＵ３０は、複数の運転モードのうち、現在選択されている運転モードを実行した場合に予測される消費電力量と、他の運転モードに変更した場合に予測される消費電力量とを比較し、他の運転モードに変更した方が消費電力量が小さいと判断すると（Ｓ５０）、当該他の運転モードを推奨運転モードとしてアドバイス表示する（Ｓ９０）。
【００３４】
これによれば、現在選択されている運転モードよりも省エネルギーである他の運転モードがアドバイス表示される。このため、ユーザーは現運転モードからの消費電力低減が図れる省エネルギー性の高い運転モードを実施することができる。
【００３５】
さらに、給湯ＥＣＵ３０は、他の運転モードに変更した方が消費電力量が小さいと判断し、かつ他の運転モードを実行した場合に必要使用熱量を確保できると判断すると（Ｓ７０）、当該他の運転モードを推奨運転モードとしてアドバイス表示する（Ｓ９０）。これによれば、ユーザーは、湯切れの心配がなく、さらに消費電力低減が図れる運転モードを知ることができる。ユーザーは、この推奨運転モードの実施を望めば、安心して出湯行為ができる省エネルギー運転を実現できる。
【００３６】
また、給湯ＥＣＵ３０は、現在選択されている運転モードを実行した場合に必要使用熱量を確保できないと判断すると、当該現在選択の運転モードよりもタンクユニットの貯熱量を大きく確保できる別の運転モードを推奨運転モードとしてアドバイス表示する（Ｓ２５，Ｓ９０）。これによれば、上記のように、ユーザーにとって省エネルギー性の高い運転モードを実施できることに加え、湯切れの可能性がある場合には、湯切れを防止する運転モードを提示するため、様々なケースに応じた機動性の高い給湯装置を提供できる。
【００３７】
また、給湯ＥＣＵ３０は、他の運転モードに変更した方が消費電力量が小さいと判断しても、当該他の運転モードを実行した場合に必要使用熱量を確保できないと判断すると（Ｓ７０）、アドバイス表示を実行しない。これによれば、上記のように、ユーザーにとって省エネルギー性の高い運転モードを実施できることに加え、湯切れの可能性がある場合には、湯切れを防止するためにアドバイス表示をしないので、湯切れの可能性がある運転が実行されることを防止できる。したがって、様々なケースに応じた機動性の高い給湯装置を提供できる。
【００３８】
また、給湯ＥＣＵ３０は、推奨運転モードが決定された場合にコントローラ３１に表示されるアドバイス表示設定部３１３が操作されると、アドバイス表示を実行する。これによれば、給湯装置１は、推奨運転モードを決定した場合に、その旨をユーザーに対して表示し、ユーザーがこれを認識してアドバイス表示を知りたいという意思によって操作した場合に初めてアドバイス表示をすることができる。したがって、自動表示するのではなく、ユーザーがアドバイス表示を必要とする能動的行為を行った場合の表示形態を実現できる。
【００３９】
また、ユーザーがアドバイス表示設定部３１３を押すことにより、ユーザーにとって有益な推奨運転モードをワンタッチ操作で表示させる。このため、推奨運転モードを表示するための操作の手順に階層がないため、アドバイス表示のさせ方がわかりやすく、知りたい情報を単純な、直感的操作によって表示することができる。したがって、わかりやすい操作性で、かつ見やすいアドバイス表示を実現できる給湯装置１を提供できる。
【００４０】
また、給湯ＥＣＵ３０は、推奨運転モードが表示された場合にコントローラ３１に表示されるモード変更設定部３１４が操作されると、推奨運転モードを実行する。これによれば、ユーザーが推奨運転モードの表示を認識して自己の意思によって操作した場合に当該推奨運転モードに変更することができる。したがって、アドバイス表示とともに、ユーザーのモード変更意思を確認するステップを提供し、運転モードの変更を促すことが可能な給湯装置１を提供できる。
【００４１】
（他の実施形態）
上述の実施形態では、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内での全ての変更を含むものである。
【００４２】
上記実施形態では、推奨運転モードのアドバイス表示が、浴室、室内（例えば、リビング、台所等）等に設置された給湯装置１のコントローラ３１の表示画面に表示される形態を説明したが、本発明に含まれるアドバイス表示は、この表示画面に表示される形態に限定するものではない。例えば、アドバイス表示は、給湯装置１を含む複数の機器を制御できる統合システムの遠隔操作装置の表示画面に表示される形態でもよい。
【００４３】
上記実施形態では、推奨運転モードが決定されている旨のアテンション表示部が、コントローラ３１の表示画面に表示される形態を説明したが、本発明に含まれるアテンション表示部は、この表示画面に設けられる形態に限定するものではない。例えば、アテンション表示部は、表示画面外の所定の部位に、点灯、点滅等のサイン表示によって表示される形態でもよい。
【００４４】
上記実施形態では、アドバイス表示処理の演算手順において、消費電力量を判断基準として推奨運転モードになりうるかどうかを判断する。他の判断基準として、二酸化炭素排出量を採用し、二酸化炭素排出量が少なくなるモードを推奨運転モードに決定するようにしてもよい。また、消費電力量に基づいて二酸化炭素排出量を算出するテーブルを記憶装置に記憶し、このテーブルにしたがって、二酸化炭素排出量が少なくなるモードを推奨運転モードに決定するようにしてもよい。
【００４５】
上記実施形態では、アドバイス表示処理の演算手順において、推奨運転モードになりうるかどうかを判断する低運転モードは、現運転モードの次に沸き上げ可能な熱量が大きいモードである。しかしながら、本発明に含まれる演算手順は、この形態に限定するものではない。例えば、複数の低運転モードのうち、最も消費電力量が小さいモードを推奨運転モードとしてアドバイス表示することができる。これによれば、ユーザーにとって最も省エネルギー性の高い運転モードの実施を促すことができる給湯装置１が実現できる。
【符号の説明】
【００４６】
１…給湯装置
２…ヒートポンプユニット（加熱装置）
３…タンクユニット
３０…給湯ＥＣＵ（制御装置）
３１…コントローラ（操作装置）
３１３…アドバイス表示設定部（アテンション表示部）
３１４…モード変更設定部（運転モード変更設定部）
【図１】
2013178011.tif 000003
【図２】
2013178011.tif 000004
【図３】
2013178011.tif 000005
【図４】
2013178011.tif 000006
【図５】
2013178011.tif 000007